(57)【要約】      （修正有）【課題】表示画面を多目的且つ高頻度に使用する柔軟な拡張性を有するセキュリティコントローラーを提供する。【解決手段】汎用インタフェース13を有して、セキュリティ機器30の状態を表示する表示画面12をこの汎用インタフェースを介して接続される拡張機器に係る情報を表示するためにも使用し、表示画面を有効活用すると共に、セキュリティ機器からの異常信号が検出されたときには、拡張機器に係る情報が表示されていたとしても、セキュリティ機器に係る情報を優先して表示させ、本来のセキュリティコントローラーが有すべき機能を充足させる。【選択図】図４
2006127296.tif 000002
【特許請求の範囲】
【請求項１】
防犯センサー、防災センサー等のセキュリティ機器が複数接続できるセキュリティインタフェースと、当該インタフェースを介して各セキュリティ機器を少なくとも操作できる操作パネルと、各セキュリティ機器の状態を少なくとも表示する表示画面とを備えるセキュリティコントローラーにおいて、
少なくとも１つの制御対象物を操作する操作パネルを有する拡張機器と接続するための汎用インタフェースを有し、
当該拡張機器と前記表示画面を共用している場合に、セキュリティ機器からの異常信号及び／又は正常信号を検出したとき、セキュリティ機器に係る情報を拡張機器に係る情報に優先して表示することを
特徴とするセキュリティコントローラー。
【請求項２】
前記請求項１に記載のセキュリティコントローラーにおいて、
前記拡張機器の制御対象の区分となる群機器区分に応じて当該群機器区分に区分された拡張機器に係る情報が制御対象物からの異常信号及び／又は正常信号検出時に優先的に前記表示画面に表示することを
特徴とするセキュリティコントローラー。
【請求項３】
前記請求項１に記載のセキュリティコントローラーにおいて、
前記拡張機器が、窓センサー、ドアセンサー、防災センサー（熱センサー、煙センサー、ガスセンサー、一酸化酸素センサー）、漏水センサー、地震センサー、赤外線ビームチェッカー、PIR（パッシブ赤外線）センサー、エマージェンシーボタン、セキュリティのためのカメラ、インターフォン、センサー付ライト、ガラス破壊センサー、シャッターセンサー、フェンスセンサー、感圧コードセンサー、ショックセンサー、金庫センサー、炎センサー、等の前記セキュリティ機器を第１群機器区分とし、医療関係機器（心拍測定装置、脳波計、患者監視装置、基礎代謝測定装置等）、パニックボタン、エマージェンシー等を第２群機器区分とし、室内確認用カメラ、ドアフォン、家族の入出管理装置、家族伝言装置、部屋の照明、ペットにえさを与える装置、換気扇、冷蔵庫、除湿機、電子レンジ、扇風機、食器洗浄器、洗濯機、炊飯器、エアコン、太陽発電、水、ガスを出し止めをする装置、水、ガス等の使用量を計算する装置、健康に関する情報を保持する装置等を第３群機器区分とし、メーラー、ブラウザ、テレビ、電話器、IP電話器、USB(Universal Serial Bus)、ICカードリーダ、ルータ、家庭内スピーカー、タッチパネル、ルータ等のLANのノード、CD-R装置、オーディオ機器、Windows等のOSを搭載したコンピュータ、翻訳装置、サーバ装置、食品管理装置、インベントリー管理装置、エネルギー料金管理装置、ホームバンキング装置、決済装置、電子会議装置、録画装置、認証装置、ゲーム装置等を第４群機器区分として制御対象とし、第１群機器区分、第２群機器区分、第３群機器区分、第４群機器区分の順に拡張機器に係る情報が制御対象物からの異常信号及び／又は正常信号検出時に優先的に前記表示画面に表示されることを
特徴とするセキュリティコントローラー。
【請求項４】
前記請求項１ないし３のいずれかに記載のセキュリティコントローラーにおいて、
前記汎用インタフェースが、複数のアダプタを有する場合に、当該アダプタの配設方向に従って接続する拡張機器に係る情報が優先的に前記表示画面に表示されることを
特徴とするセキュリティコントローラー。
【発明の詳細な説明】
【技術分野】
【０００１】
本発明は、表示画面を有し、接続されるセキュリティ機器を操作可能なセキュリティコントローラーに関し、特に、表示画面を有効活用するセキュリティコントローラーに関する。
【背景技術】
【０００２】
本発明のセキュリティコントローラーの背景技術となる住宅情報盤は、特開２０００−２１５３６８号公報に開示されるものがあり、以下説明する。
【０００３】
この背景技術に係る住宅情報盤は、侵入者を検知する手段による警戒状態を解除するために操作する警戒解除手段と、暗証番号を入力するために操作する暗証番号入力手段と、予め暗証番号を登録した暗証番号登録手段と、警戒解除手段を操作した後、暗証番号入力手段によって入力された暗証番号が、暗証番号登録手段に登録された暗証番号と一致したときには、侵入者を検知する手段による警戒状態を解除する制御手段とを備える構成である。さらに、背景技術に係る住宅情報盤は、警戒設定状態において、侵入者を検知したときには、音や表示によって警報を出力する。また、背景技術に係る住宅情報盤を設置した住戸が、集合住宅の１つの住戸である場合には、警報を出力とともに、中央の監視盤に対して、侵入者の検知を通知する。ここに、侵入者を検知する手段には、窓などに取り付けられた防犯 スイッチや、出入口近辺に設置された人体検知センサなどがある。
【０００４】
背景技術に係る住宅情報盤のより具体的な構成としては、判別回路１２によって判別した異常の各々に対応した表示灯などを備えた表示回路１７と、異常に対応した音声メッセージをスピーカ２０から出力させる音声出力回路１８と、異常を判別したときに、管理人室などに設置された監視盤（後述）に対し、信号を移報出力する移報出力回路１４を備えるものである。なお、表示回路１７は、予め定められた色で点灯あるいは点滅する表示灯以外に、文字などを表示する液晶ディスプレイなどで構成してもよい。また、音声出力回路１８からは、セキュリティ機器が異常を検知したときに出力する音声メッセージ以外に、監視盤側に設置された放送設備（不図示）から受けた音声を出力してもよく、また、これらの出力と同時に、ドアホン子器回路１９を介したドアホン子器や、副親機、増設スピーカ（いずれも後述）などからも、同じメッセージを出力させてもよい。
【特許文献１】特開２０００−２１５３６８号公報
【発明の開示】
【発明が解決しようとする課題】
【０００５】
本発明のセキュリティコントローラーの背景技術の一例を上記に示した通り、現在セキュリティコントローラーとして用いられるものには、液晶ディスプレイ、小型CRTモニタ等の表示装置を有しながら、この表示装置は使用される頻度の少ない防犯、防災に使用されるために存在し、使用頻度の観点から有効に用いられていないという課題を有する。もっとも、よく用いられる場合としてドアフォンカメラの表示装置として用いられる場合もあるが、このような使用形態でも有効活用されていると言えるには程遠い。
【０００６】
また、多種な機能を有したセキュリティコントローラーは、表示装置を防犯、防災以外に使用しているものもあるが、これらのセキュリティコントローラーは需要者が使用しない機能が付加されている場合もあり、不要な機能が過剰に付加され、多数の需要者の要望を満たすことができないという課題を有する。
【０００７】
また、従来のセキュリティコントローラーによっては、操作パネルのボタン、スイッチ、ダイヤル等が、機器毎に特化し過ぎて、他の機器を拡張しようとした場合に、かかる操作パネルのボタン等を重量的に用いることができないことを理由として別途独立した機器として設け、無駄が大きいという課題も有する。
【０００８】
本発明は前記課題を解決するためになされたものであり、表示画面を多目的且つ高頻度に使用する柔軟な拡張性を有するセキュリティコントローラーを提供することを目的とする。
【課題を解決するための手段】
【０００９】
本発明に係るセキュリティコントローラーは、防犯センサー、防災センサー等のセキュリティ機器が複数接続できるセキュリティインタフェースと、当該インタフェースを介して各セキュリティ機器を少なくとも操作できる操作パネルと、各セキュリティ機器の状態を少なくとも表示する表示画面とを備えるセキュリティコントローラーであって、少なくとも１つの制御対象物を操作する操作パネルを有する拡張機器と接続するための汎用インタフェースを有し、当該拡張機器と前記表示画面を共用している場合に、セキュリティ機器からの異常信号及び／又は正常信号を検出したとき、セキュリティ機器に係る情報を拡張機器に係る情報に優先して表示するものである。このように本発明においては、汎用インタフェースを有して、セキュリティ機器の状態を表示する表示画面を当該汎用インタフェースを介して接続される拡張機器に係る情報を表示するためにも使用し、表示画面を有効活用すると共に、セキュリティ機器からの異常信号及び／又は正常信号が検出されたときには、例え、拡張機器に係る情報が表示されていたとしても、セキュリティ機器に係る情報を優先して表示しており、本来のセキュリティコントローラーが有すべき機能をも充足している。また、前記拡張機器には、従来と異なり、拡張機器側に操作パネルを有して使用者が操作パネル上のボタン等を押下しながら操作することができるため、セキュリティコントローラー自体の操作パネルが汎用的に設計されていない場合であっても、独立した機器ではなくて拡張機器として様々なものを自由に設計することができ、需要者も必要に応じて作成された複数の拡張機器の中から選択することができる。特に、セキュリティコントローラーは、家の中心で、誰でも見易い場所に設置されるため、多目的に使用することで享受できる利益は大きい。
【００１０】
また、本発明に係るセキュリティコントローラーは必要に応じて、前記拡張機器の制御対象の区分となる群機器区分に応じて当該群機器区分に区分された拡張機器に係る情報が制御対象物からの異常信号及び／又は正常信号検出時に優先的に前記表示画面に表示するものである。このように本発明においては、使用者、製造者等が拡張機器の制御対象に応じて拡張機器を群機器に区分して設定し、例えばある制御対象物から異常信号が出力された場合に、当該拡張機器が区分された群機器に応じて優先的に前記表示画面に表示されるので、一端使用者が群機器区分に区分した後は、群機器区分間の優先順位を設定することでまとめて表示の優先順位を設定することができる。
【００１１】
また、本発明に係るセキュリティコントローラーは必要に応じて、前記拡張機器が、窓センサー、ドアセンサー、防災センサー（熱センサー、煙センサー、ガスセンサー、一酸化酸素センサー）、漏水センサー、地震センサー、赤外線ビームチェッカー、PIR（パッシブ赤外線）センサー、エマージェンシーボタン、セキュリティのためのカメラ、インターフォン、センサー付ライト、ガラス破壊センサー、シャッターセンサー、フェンスセンサー、感圧コードセンサー、ショックセンサー、金庫センサー、炎センサー、等の前記セキュリティ機器を第１群機器区分とし、医療関係機器（心拍測定装置、脳波計、患者監視装置、基礎代謝測定装置等）、パニックボタン、エマージェンシー等を第２群機器区分とし、室内確認用カメラ、ドアフォン、家族の入出管理装置、家族伝言装置、部屋の照明、ペットにえさを与える装置、換気扇、冷蔵庫、除湿機、電子レンジ、扇風機、食器洗浄器、洗濯機、炊飯器、エアコン、太陽発電、水、ガスを出し止めをする装置、水、ガス等の使用量を計算する装置、健康に関する情報を保持する装置等を第３群機器区分とし、メーラー、ブラウザ、テレビ、電話器、IP電話器、USB(Universal Serial Bus)、ICカードリーダ、ルータ、家庭内スピーカー、タッチパネル、ルータ等のLANのノード、CD-R装置、オーディオ機器、Windows等のOSを搭載したコンピュータ、翻訳装置、サーバ装置、食品管理装置、インベントリー管理装置、エネルギー料金管理装置、ホームバンキング装置、決済装置、電子会議装置、録画装置、認証装置、ゲーム装置等を第４群機器区分として制御対象とし、第１群機器区分、第２群機器区分、第３群機器区分、第４群機器区分の順に拡張機器に係る情報が制御対象物からの異常信号及び／又は正常信号検出時に優先的に前記表示画面に表示されるものである。このように本発明においては、予め制御対象物が群機器区分に区分けされているため、使用者が別途設定することなく、自動的に表示の優先切り替えの設定が行われ、迅速に導入することができる。特に、初期導入の場合にはひとまとめに拡張機器が増えるが、当初からどのように設定してよいかが適切に分かる使用者は少なく、生産者側が想定した優先切り替えの設定を使用に馴れるまで使用し、円滑に運用することができる。ここで、第３群機器区分と第４群機器区分との違いは、第３群機器区分が遠隔から確認等する機能があるか否かである。しかしながら、なかには両方に属する機器もあり、例えば、食品管理装置は家、店の食料品の在庫を確認する場合に通常であれば家で使用するが、買い物先から確認したい場合も生じるからである。また、前記各群機器区分で明示した装置等を全て区分しておく必要がなく、各群機器区分毎に少なくとも１つが入っていればよい。
【００１２】
また、本発明に係るセキュリティコントローラーは必要に応じて、前記汎用インタフェースが、複数のアダプタを有する場合に、当該アダプタの配設方向に従って接続する拡張機器に係る情報が優先的に前記表示画面に表示されるものである。このように本発明においては、拡張機器に係る情報の表示の優先順序が拡張機器を接続するアダプタの配設位置によって決定されるので、使用者等が拡張機器を接続する場合に、セキュリティコントローラーの左側面に３つのアダプタが上下方向にあるときに、一番上のアダプタのジャックに防犯の拡張機器を接続し、２番目のアダプタのジャックに玄関口のセンサー付きカメラを操作する拡張機器を接続し、３番目のアダプタのジャックにペットの様子をみるカメラを操作する拡張機器を接続することで、ペットがえさをきちんと食べているかを使用者が見ているときに防犯機器から異常信号が出力されたとき、適切に防犯機器を制御対象とする拡張機器に係る情報が優先的に表示され、このような設定であることは拡張機器の順番を使用者が視覚を通じて見ることで直感的に理解することができると共に、拡張機器の抜き差しで設定が完了することができ、機器の操作が苦手な方であっても操作することができる。
【発明を実施するための最良の形態】
【００１３】
（本発明の第１の実施形態）
本発明の第１の実施形態に係るセキュリティコントローラーについて、図１ないし図９に基づき説明する。図１は本実施形態に係るセキュリティ機器等をセキュリティコントローラーに接続した家の見取り図、図２は本実施形態に係るセキュリティコントローラーの外観図、図３は本実施形態に係る拡張機器の外観図、図４は本実施形態に係るセキュリティコントローラーのハードウェア構成図、図５は本実施形態に係るセキュリティコントローラーのモジュール構成図、図６ないし図８は本実施形態に係る表示画面の形態図、図９は本実施形態に係るセキュリティコントローラーの動作フローチャートである。
【００１４】
本実施形態に係るセキュリティコントローラーは、防犯センサー、防災センサー等のセキュリティ機器３０が複数接続できるセキュリティインタフェース１０と、このセキュリティインタフェース１０を介して各セキュリティ機器を少なくとも操作できる操作パネル１１と、各セキュリティ機器３０の状態を少なくとも表示する表示画面１２とを備え、１つの制御対象物を操作する操作パネルを有する拡張機器２０と接続するための汎用インタフェース１３を有し、この拡張機器２０と前記表示画面１２を共用している場合に、セキュリティ機器３０からの異常信号を検出したとき、セキュリティ機器に係る情報を拡張機器２０に係る情報に優先して表示する構成である。
【００１５】
前記セキュリティ機器３０とは、パッシブセンサー、赤外センサー、ガラス破壊センサー、マグネットスイッチ、フェンスセンサー、煙センサー、温度感知センサー等のセンサー類を用いた防犯、防災機器のことである。センサー以外構成のセキュリティ機器３０としては、防犯カメラ、センサー付きライト、ドアフォン、センサー付きスピーカー等がある。
【００１６】
前記セキュリティインタフェース１０としては、有線で用いられるもの、無線で用いられるもののどちらでもよく、例えば、光通信、Bluetooth、赤外線通信、IEEE1394、無線LAN、有線LAN、独自の有線又は無線規格による通信で用いられるものであり、正確に言えば、前記各通信に用いられる通信機器（アダプタ、送受信機、送信機、受信機）に該当する。光通信・赤外線通信で言えばポート、有線LANで言えば有線LANアダプタに該当し、無線LANで言えば無線LANアダプタに該当し、Bluetoothで言えばBluetoothアダプタに該当し、IEEE1394で言えばIEEE1394に該当する。
【００１７】
前記操作パネル１１は、トグルスイッチ、スライドスイッチ、プッシュスイッチ（所謂押しボタン）、プルチェーンスイッチ、リミットスイッチ、レバースイッチ、ロッカースイッチ、ロータリースイッチ、キーボードスイッチ、キースイッチが配置されるものがあり、前記各種スイッチを使用者が操作してセキュリティコントローラーを操作する。これらのスイッチ以外に表示画面１２自体を用いるタッチパネルを使用して操作パネル１１を構成することもできる。
【００１８】
前記表示画面１２としては、CRT、LCD、PDP、FED、有機ELディスプレイ、LEDディスプレイ等がある。セキュリティコントローラーはリビング近くの壁に設置されることが多く、薄型で場所を取らないことが好ましく、LCD又は有機ELディスプレイが好ましい。
【００１９】
前記汎用インタフェース１３は、前記セキュリティインタフェースで示した光通信、Bluetooth、赤外線通信、IEEE1394、無線LAN、有線LAN等で用いられる通信機器（アダプタ、送受信機、送信機、受信機）であり、独自の有線又は無線規格による通信を含まず、汎用性が求められる。
【００２０】
前記制御対象物としては、窓センサー、ドアセンサー、煙センサー、PIR（パッシブ赤外線）センサー、エマージェンシーボタン、監視カメラ、インターフォン、センサー付ライト、医療関係機器（心拍測定装置）、パニックボタン、エマージェンシー、室内確認用カメラ（家族、ペットの様子をみたりする）、ドアフォン、家族の入出管理装置、家族伝言装置、部屋の照明、ペットにえさを与える装置、換気扇、冷蔵庫、除湿機、電子レンジ、扇風機、食器洗浄器、洗濯機、炊飯器、エアコン、太陽発電、水、ガスを出し止めをする装置、水、ガス等の使用量を計算する装置、健康に関する情報を保持する装置、メーラー、ブラウザ、テレビ、電話器、IP電話器、USB(Universal Serial Bus)、ICカードリーダ、ルータ、家庭内スピーカー、タッチパネル、ルータ等のLANのノード、CD-R装置、オーディオ機器、Windows等のOSを搭載したコンピュータ、翻訳装置、サーバ装置、食品管理装置、インベントリー管理装置、エネルギー料金管理装置、ホームバンキング、決済、電子会議、録画装置、認証装置、ゲーム装置が該当する。例えば、図１に示すように制御対象物は家の各場所に配置されて動作状態となり、セキュリティコントローラー又は拡張機器２０からの制御の元に、正常信号、異常信号の入出力を行っている（制御対象物によっては、セキュリティコントローラー又は拡張機器２０に常時情報を出力しているものもあり、セキュリティコントローラー又は拡張機器２０は必要に応じて参照している）。例えば、冷蔵庫をセキュリティコントローラーで操作可能とするためには、冷蔵庫のマイコンに対して制御信号を出力する必要があり、冷蔵庫側にUSBプラグが接続し、当該USBプラグをセキュリティコントローラーの汎用インタフェース１３に接続することで構成することもできる。しかしながら、実際には各家庭の機器は現時点ではセキュリティコントローラーで操作可能とするためのインタフェースを有していない。したがって、セキュリティコントローラーと各機器との間を取り持つ拡張機器２０が必要となる。前記したUSBプラグ付の冷蔵庫の場合には拡張機器２０が冷蔵庫側にあるが、結局USBコードを介してセキュリティコントローラーと接続するため構成として同じである。ここでは、冷蔵庫を具体例で示したが、セキュリティ機器３０のようなセキュリティコントローラーに予め合わせて設計されている機器を除き、拡張機器２０が必要となる。拡張機器２０の制御が複雑である場合には、基本的な電子回路のみで構成するのではなく、マイコン、チップ（System On Chip）等の集積回路も必要となる。
【００２１】
セキュリティコントローラー自体は、例えば図２に示すように構成され、電源LEDランプ４１、機器状態LEDランプ４２、電池切れLEDランプ４３を有し、さらに、その直下に外出ボタン４４、在宅ボタン４５、解除ボタン４６及びモニタボタン４７を有している。また、セキュリティコントローラーは、横蓋を介して内部に、動作ボタン４８、登録ボタン４９、音量ボタン５０を有し、さらに、テンキー５１を有している。外出ボタン４４を押下することで、家の内外のセキュリティ機器が動作状態となって、リビングの窓が開かれたりすると開閉検出装置がセキュリティコントローラーに異常信号を出力し、セキュリティコントローラーは侵入者がいると判断し、例えば、警備会社に一般電話通信網を利用して通報する。在宅ボタン４５が押下されると、家の人達が窓を開けた場合等にセンサーが検出して異常信号を出力すると具合が悪いので、一部のセンサーが停止状態となっている（家の者が就寝中は第三者の侵入を防止する必要があるためセンサーを駆動状態にする）。解除ボタンは全てのセキュリティ機器を停止状態とする（少なくともセンサー系セキュリティ機器は停止状態とする）。モニタボタン４７を押下すると、監視カメラの映像を表示画面１２に表示する。動作ボタン４８は現在表示画面１２でアクティブとなっている制御対象物に係る情報から、他の制御対象物に係る情報をアクティブとするものである。具体的には、監視カメラからの映像がアクティブになっている場合に、動作ボタン４８を押下することでリビングの開閉検出装置に係る情報をアクティブにする。ここで、図６に示すように、監視カメラからの映像とリビングの開閉検出装置とが表示され、「セキュリティ」タブがアクティブになっている場合に動作ボタン４８を押下すると、「機器」タブがアクティブとなって図７に示すような各機器の状態を複数示したワークシートに移行する。ここで、「医療」タブに矩形と×との結合記号が表示されているが、これは現在使用できないことを意味する。例えば、家に医療機器がなくセキュリティコントローラーに汎用インタフェース１３を介して医療機器が接続されていない場合が該当する。ここで、アクティブとは、そのアクティブとなっている情報のみを表示画面１２に表示する形態だけではなく、最先面表示、エラーダイアログの表示等の明示的な使用者への表示を行うことを意味する。
【００２２】
前記拡張機器２０は、前記した通り、１つの制御対象物を操作する操作パネル２１を有して汎用インタフェース１３を介して接続している。拡張機器２０は、制御対象物と直接有線ケーブルを介して有線通信によって、又は、無線通信によって制御対象物を制御対象下に置いている。拡張機器２０の制御対象物との通信のための通信機器も汎用的な通信方式に準じるものである場合には、セキュリティコントローラーの汎用インタフェース１３を介して制御対象物を拡張機器２０の制御管理下に置いている。また、図３に示すように、拡張機器２０は制御対象物に応じて各種スイッチが形成されており、操作性高く設計することができる。図３（a）の拡張機器２０はソーラーパネルを制御対象とするものであり、選択ボタンの押下によって本拡張機器２０に係る情報が表示画面１２においてアクティブとなり、発電ボタンを押下することで発電を開始し、余剰ボタンで蓄積電力を家庭内負荷で使用し、需要ボタンの押下で電力会社に売電する。図３（ｂ）の拡張機器２０はガス、上下水道を制御対象とするものであり、選択ボタンの押下でガス、上下水道それぞれの使用量、使用料金が表示画面１２に表示される。図３（ｃ）の拡張機器２０は料理レシピ専用のダウンローダー及びビューアーを制御対象とするものであり、選択ボタンの押下で本拡張機器２０に係る情報が表示画面１２においてアクティブとなってインターネットを介してレシピサーバーからレシピをダウンロードし、ビューアーが表示画面１２においてレシピを他の操作パネル２１上のボタンを押下することで適宜表示を行う。図３（ｄ）の拡張機器２０は健康管理装置を制御対象とするものであり、選択ボタンの押下で本拡張機器２０に係る情報が表示画面１２においてアクティブとなって過去の診断状況を表示し、さらに、診断ボタンが押下されることでインターネットを介して医師とテレビ電話で話しながら診断を受け、診断結果をインターネットを介して表示画面１２にて表示する。図３（e）の拡張機器２０は映画表示装置を制御対象とするものであり、選択ボタンを押下することで本拡張機器２０に係る情報が表示画面１２においてアクティブとなって、さらに、数字が付与されたボタンを押下することで各ボタンに対応づけられたセキュリティコントローラーと外部接続する外部記録装置に記録された映画情報が読み出され、再生ボタンを押下することで表示画面にて映画が再生され、また、録画ボタンを押下することでテレビ録画を行うこともできる。
【００２３】
前記セキュリティコントローラーの操作パネル１１又は拡張機器２０の操作パネル２１により、表示画面１２での表示が切り替わるのは、操作割り込みが生じてセキュリティコントローラーが割り込みを検出して切り替わるように処理しているからである。この操作割り込み以外にも制御対象物からの異常信号が出力された場合にセキュリティコントローラーが検出する異常割り込みがある。他にも、正常割り込みとして、アラーム設定等の製造者、使用者が設定した条件によるものがある。
【００２４】
前記セキュリティコントローラーは、例えば、図４に示すハードウェア構成とすることができ、表示情報を表示する前記表示画面１２であるLCD１２と、汎用インタフェース１３であるUSB１３と、セキュリティ機器３０と接続するためのセキュリティ端子１０と、制御やデータの計算・加工を行なう中枢部分であるCPU１４と、このCPU１４内のキャッシュ以外の読み出し専用記憶装置であるROM１５と、インターネットと接続するためのLANアダプタとからなる。CPU１４は、一般的にはROM１５上のプログラム記憶領域からスタック領域にプログラムを読出し、適宜CPU１４内のレジスタで計算を行って所望の情報処理を実現している。この情報処理により、例えば、監視カメラからの撮像情報がセキュリティコントローラーにセキュリティ端子１０を介して出力されたときに、セキュリティコントローラーは前記LCD１２に表示可能なように情報を加工した後にLCD１２に電気信号として出力している。
【００２５】
ソフトウェアの観点からモジュール単位で説明を行うとすれば、セキュリティコントローラーのCPU１４及びROM１５によって、制御対象物の管理を行う管理手段６１と、前記LCD１２に表示可能に情報を加工する表示手段６２と、制御対象物の直接的な制御を行い、拡張機器毎に用意される機器用制御手段６３と、管理手段６１が優先的な表示制御を行うための管理テーブル６４とからなる。機器用制御手段６３は複数存在するが、制御対象物毎に異なるものであり、監視カメラ用の機器用制御手段６３、開閉検出装置用の機器用制御手段６３といった具合に、制御対象物が異なれば制御方法が異なるため異種の機器用制御手段６３が存在する。
【００２６】
従来のように表示画面１２を共有せず独立して表示画面１２を有する機器であれば、拡張機器２０、この拡張機器２０の制御対象物及び表示画面１２で構成され、機器用制御手段６３及び表示手段６２によって情報処理がなされれば制御対象物に係る情報を独自の表示画面１２に表示することとなる。本発明の場合には表示画面１２を共有するために、機器用制御手段６３全てにとって共通の表示手段６２を１つ有し、この表示手段６２を介してどの制御対象物に係る情報を表示するかを管理手段６１が決定しており、表示の管理を行っている。管理手段６１は、セキュリティ端子１０又はUSB１３を介して各制御対象物から制御対象物に係る情報（正常信号又は異常信号）を所定の周期毎に入力されている。したがって、管理手段６１が、入力されている制御対象物に係る情報を表示手段６２に渡すことでLCD１２に表示されることとなる（このような実現方法でなく、管理手段は表示の許可をするのみであって、一の機器用制御手段６３のみに表示の許可を出し、許可を受けた機器用制御手段６３が表示手段６２に制御対象物に係る情報を出力する構成にすることもできる）。表示画面１２には、制御対象物から管理手段６１を介して表示手段６２に入力された情報だけでなく、予めROM１５上に格納されているメッセージ、エラーダイアログ等の図形も管理手段６１又は表示手段の処理によってROM１５から読み出され、表示画面１２に表示される。
【００２７】
前記管理手段６１が、前記割り込みを検出して表示手段６２に渡す情報を変えて表示の優先切り替えを実現しているが、この優先切り替えのために管理テーブル６４を用いている。管理テーブル上には、現在セキュリティコントローラーが制御対象物としているもののうち動作中となっているもののみが登録されている。すなわち、制御対象物が動作中となって管理手段６１に出力があった場合には管理手段６１は管理テーブル６４を更新し、新たに動作中となった制御対象物の項目を管理テーブル６４に追加する。したがって、管理テーブルを参照することで、制御対象物が動作中であるか否かを判断することができる。ここで、制御対象物が動作中であっても、管理手段６１が管理テーブル６４中から制御対象物の項目を削除することで停止状態とみなすことができる。すなわち、監視カメラから常時撮像状態が入力されている場合であっても、表示画面１２に表示しないのであれば停止状態とみなすことでCPU１４に余計な負荷が過重しなくて済む。管理テーブル６４内の順序であるが、優先度が高いものが上に配置される。本実施形態ではセキュリティ機器３０が上位に配置されることとなる。また、管理手段６１は管理テーブル６４中現在アクティブとなっている制御対象物を特定している。管理テーブル６４を配列で構成する場合には、配列番号によって現在アクティブとなっている制御対象物を特定する。より具体的にはグローバル変数であるアクティブ変数に配列番号を格納する。したがって、新たな制御対象物を管理テーブル６４に追加する場合には、管理手段６１が配列の適切な位置に挿入する。本実施形態では、異常割り込みが生じた場合に制御対象物がセキュリティ機器のとき、表示の優先切り替えを行えばよいので、セキュリティ機器が上位に配置される。また、配列には制御対象物を特定する情報の他に、優先レベルが設定される。ここでは、セキュリティ機器がレベル１で、それ以外の機器がレベル２とする。よって、管理手段６１は、異常割り込みが生じた場合にはこの優先レベルを見て、処理を切り分ける。アクティブとなっている制御対象物と、異常信号に係る制御対象物とが共に、優先レベルがレベル１であるとき、すなわち、どちらもセキュリティ機器である場合には、異常信号を出力した制御対象物に係る情報をアクティブとする。これは、どちらもセキュリティ機器であって、使用者がどちらも認識しておく必要があるからである。より好ましくは、画面を分割等してどちらも表示するのがよい。
【００２８】
前記異常割り込みについては、前記管理テーブル６４を用いて管理手段６１が制御を行うが、操作割り込みについては管理テーブル６４を用いて表示の優先切り替えをせずに、切り替えを行う。これは、使用者の操作によって表示の切り替えの要請がなされているため、必ず表示の切り替えを行わなければならないからである。なお、操作割り込みでアクティブとなる制御対象物が変更されれば、現在アクティブとして特定している制御対象物から変更されたことを更新する必要がある。すなわち、アクティブ変数に現在アクティブとして特定している制御対象物に係る配列番号を格納する。
【００２９】
また、機器用制御手段６３は、制御対象物及び拡張機器２０毎に異なるものであるため、また、セキュリティコントローラーとは別途に設計がなされるものであるため、予め全ての機器用制御手段６３の元となるプログラムをROM１５に格納することは困難である。したがって、ROM１５上に格納されていない機器用制御手段６３の元となるプログラムは、拡張機器２０側にもROMを備え、かかるROM上に格納し、管理手段６１が読み出して機器用制御手段６３を形成することとする。なお、セキュリティコントローラー上にRAMを備えた場合には、拡張機器２０のROMからプログラムをセキュリティコントローラー上のRAMに書きこむこともでき、さらには、インターネットを介してプログラムをダウンロードしRAM上に格納することもできる。
【００３０】
前記拡張機器に係る情報と制御対象物に係る情報とは同一のものである。拡張機器は制御対象物を制御しており、その拡張機器に係る情報は制御対象物に係るものでもある。具体的には、制御対象物の状態、制御対象物の演算結果、制御対象物が撮像した表示情報、予めROM１５に格納された制御対象物に係るもの（アイコン、文字等）等が該当する。
【００３１】
以下、図９に基づいてより詳細に管理手段６１の動作について説明する。まず、セキュリティコントローラーの電力が供給されることで、セキュリティコントローラーが起動状態となって、CPU１４及びROM１５等の各構成要素に電気が供給され、レジスタのクリア、スタックのクリア等の初期処理を行ったのち、CPU１４がROM１５内のプログラム記憶領域からプログラムをスタックに展開し、管理手段６１、表示手段６２、現在接続されているセキュリティ機器３０、拡張機器２０に対応する機器用制御手段６３を構成し、さらに、ROM１５上に管理テーブル６４の領域を確保する。この後に、管理手段６１はまず終了か否かを判断し（S101）、終了であれば終了状態に移行する。前記S101において、管理手段６１が終了でないと判断した場合には異常割り込みが発生していないか否かを判断し(S102)、異常割り込みが発生していないと判断した場合にはS101に移行する。前記S102において、管理手段６１が異常割り込みが発生していると判断した場合には、現在アクティブとなっている制御対象物を管理テーブルを用いて特定する(S103)。特定した後、割り込みに係る制御対象物が現在の制御対象物よりも優先か否かを判断し(S104)、優先であると判断した場合には割り込みをした制御対象物に係る情報を表示手段６３に出力し(S105)、表示手段６３は入力された割り込みをした制御対象物に係る情報を情報加工した後にLCD１２に出力し、LCD１２が現在表示されている情報に代えて割り込みをした制御対象物に係る情報を表示する。表示された制御対象物に係る機器用制御手段６３に表示されている旨を出力する(S106)。さらに、表示されなくなった制御対象物に係る機器用制御手段６３に表示されている旨を出力する(S107)。最後に、アクティブ変数を更新する（S108）。前記S104において、優先でないと判断した場合にはステップS107に移行する。
【００３２】
前記S106で、表示された制御対象物に係る機器用制御手段６３に表示されている旨を出力するのは、この機器用制御手段６３がアクティブであると認識した場合に動作が変わる場合があるためである。例えば、アクティブとなっている場合には、サンプリング周期を短くしたりすることができる。逆に、S107で表示されなくなった制御対象物に係る機器用制御手段６３に表示されている旨を出力するのは、同様に、この機器用制御手段６３がアンアクティブであると認識した場合に動作が変わる場合があるためである。例えば、カメラが動作している場合に、アンアクティブであればカメラを休止して撮像を中止することができる。
【００３３】
このように本実施形態に係るセキュリティコントローラーによれば、汎用インタフェース１３を有して、セキュリティ機器３０の状態を表示する表示画面１２をこの汎用インタフェース１３を介して接続される拡張機器２０に係る情報を表示するためにも使用し、表示画面１２を有効活用すると共に、セキュリティ機器３０からの異常信号が検出されたときには、例え、拡張機器２０に係る情報が表示されていたとしても、セキュリティ機器に係る情報を優先して表示しており、本来のセキュリティコントローラーが有すべき機能をも充足している。また、前記拡張機器２０には、従来と異なり、拡張機器側に操作パネル２１を有して使用者が操作パネル２１上のボタン等を押下しながら操作することができるため、セキュリティコントローラー自体の操作パネル１１が汎用的に設計されていない場合であっても、独立した機器ではなくて拡張機器２０として様々なものを自由に設計することができ、需要者も必要に応じて拡張機器２０を選択することができる。特に、セキュリティコントローラーは、家の中心で、誰でも見易い場所に設置されるため、多目的に使用することで享受できる利益は大きい。
【００３４】
なお、本実施形態ではセキュリティ機器かそれ以外の種別として優先レベルを設けたが、機器毎により細かく分けた優先レベルを付与することもでき、セキュリティ機器３０相互間であっても、重要度に応じて表示の優先切り替え処理を実現することができる。
【００３５】
（本発明の第２の実施形態）
本発明の第２の実施形態に係るセキュリティコントローラーについて説明する。
【００３６】
本実施形態に係るセキュリティコントローラーは、前記第１の実施形態に係るセキュリティコントローラーと同様に構成され、さらに、前記拡張機器２０が、窓センサー、ドアセンサー、防災センサー（熱センサー、煙センサー、ガスセンサー、一酸化酸素センサー）、漏水センサー、地震センサー、赤外線ビームチェッカー、PIR（パッシブ赤外線）センサー、エマージェンシーボタン、セキュリティのためのカメラ、インターフォン、センサー付ライト、ガラス破壊センサー、シャッターセンサー、フェンスセンサー、感圧コードセンサー、ショックセンサー、金庫センサー、炎センサー、等の前記セキュリティ機器を第１群機器区分とし、医療関係機器（心拍測定装置、脳波計、患者監視装置、基礎代謝測定装置等）、パニックボタン、エマージェンシー等を第２群機器区分とし、室内確認用カメラ（家族、ペットの様子をみたりする）、ドアフォン、家族の入出管理装置、家族伝言装置、部屋の照明、ペットにえさを与える装置、換気扇、冷蔵庫、除湿機、電子レンジ、扇風機、食器洗浄器、洗濯機、炊飯器、エアコン、太陽発電、水、ガスを出し止めをする装置、水、ガス等の使用量を計算する装置、健康に関する情報を保持する装置等を第３群機器区分とし、メーラー、ブラウザ、テレビ、電話器、IP電話器、USB(Universal Serial Bus)、ICカードリーダ、ルータ、家庭内スピーカー、タッチパネル、ルータ等のLANのノード、CD-R装置、オーディオ機器、Windows等のOSを搭載したコンピュータ、翻訳装置、サーバ装置、食品管理装置、インベントリー管理装置、エネルギー料金管理装置、ホームバンキング装置、決済装置、電子会議装置、録画装置、認証装置、ゲーム装置等を第４群機器区分として制御対象とし、第１群機器区分、第２群機器区分、第３群機器区分、第４群機器区分の順に拡張機器に係る情報が制御対象物からの異常信号及び／又は正常信号検出時に優先的に前記表示画面に表示される構成である。
【００３７】
前記第１の実施形態では、管理テーブル６４の優先レベルはレベル１とレベル２しかなかったが、本実施形態では、第１群機器区分がレベル１、第２群機器区分がレベル２、第３群機器区分がレベル３、第４群機器区分がレベル４、それ以外がレベル５とする。
【００３８】
各機器用制御手段６３は、自己の制御対象物がどの群機器区分にあるかを予め知っており（プログラム内で自己の群機器区分を定義する）、この群機器区分を管理手段６１に出力する。管理手段６１は、機器用制御手段６３から受け取った群機器区分を、管理テーブル６４に制御対象物の項目として追加するときに、群機器区分に対応した優先レベル及び群機器区分自体を格納する。
【００３９】
このように本実施形態に係るセキュリティコントローラーによれば、制御対象物が第１群機器区分、第２群機器区分、第３群機器区分、第４群機器区分に区分けされ、それぞれの制御対象物の機器用制御手段６３が、管理手段６１に対して群機器区分を申告するので、使用者の手を煩わすことなく、円滑に複数優先レベルの表示の優先切り替えが実現することができる。
【００４０】
なお、本実施形態に係るセキュリティコントローラーにおいては、予め機器用制御手段６３に設定されている群機器区分を管理手段６１に申告し、管理テーブルにこの群機器区分及び優先レベルを格納しているが、この格納後、使用者の設定変更によって優先レベルを変更することもでき、かかる優先レベルの変更によりデフォルトと異なった表示の優先切り替えを設定することができ、さらに、一端変更した場合であっても、群機器区分自体は変更されないので、いつでも制御対象物毎にデフォルトに戻すことができる。
【００４１】
（本発明の第３の実施形態）
本発明の第３の実施形態に係るセキュリティコントローラーについて図１０に基づいて説明する。図１０は本実施形態に係るセキュリティコントローラーの外観図である。
本実施形態に係るセキュリティコントローラーは、前記第１の実施形態に係るセキュリティコントローラーと同様に構成され、さらに、前記汎用インタフェース１３が、複数のアダプタを有する場合に、このアダプタの配設方向に従って接続する拡張機器に係る情報が優先的に前記表示画面１２に表示される構成である。
【００４２】
前記第１の実施形態では、管理テーブル６４の優先レベルはレベル１とレベル２しかなかったが、本実施形態では、レベル１、レベル２、レベル３、レベル４、レベル５とする。レベル１はセキュリティ機器とし、レベル２、レベル３、レベル４、レベル５は、本セキュリティコントローラーの右側部に配設された汎用インタフェースである各USB１３に上から順に付与することとする（図１０参照）。具体的には、USB１３aにレベル２が、USB１３ｂにレベル３が、USB１３ｃにレベル４が、USB１３ｄにレベル５が付与されている。
【００４３】
前記第２の実施形態においては、各機器用制御手段６３は自己の制御対象物がどの群機器区分にあるかを予め知っていたが、本実施形態ではUSB１３毎に予め優先レベルが付与されており、かかる対応は管理手段６１が予め知っている。したがって、拡張機器２０がUSB１３に接続された時点で、管理手段６１は管理テーブル６４に制御対象物の項目及びUSB１３に対応する優先レベルを格納する。
【００４４】
このように本実施形態に係るセキュリティコントローラーによれば、拡張機器２０に係る情報の表示の優先順序が拡張機器２０を接続するアダプタの配設位置によって決定されるので、使用者等が拡張機器２０を優先順に接続することで使用者の意思を反映した表示の優先切り替えが実現できる。また、どのような設定であることは拡張機器２０の順番を使用者が視覚を通じて見ることで直感的に理解することができると共に、拡張機器２０の抜き差しで設定が完了することができ、機器の操作が苦手な方であっても操作することができる。
【００４５】
なお、本実施形態に係るセキュリティコントローラーにおいては、拡張機器２０に係る情報の表示の優先順序が拡張機器２０を接続するアダプタの配設位置によって決定されるが、この機能を無効とする設定を行うこともでき、従来通りに優先レベルの設定により表示の優先順序を決定することもできる。使用者の多様なニーズを吸収することができる。ただし、デフォルトでは拡張機器２０に係る情報の表示の優先順序が拡張機器２０を接続するアダプタの配設位置によって決定される機能は有効にし、後に無効とできるような構成であることが好ましい。これは、操作に精通している者は無効の設定も容易にできるが、操作に疎い者は無効となっている場合に有効にする設定を行うことが困難だからである。
【図面の簡単な説明】
【００４６】
【図１】本発明の第１の実施形態に係るセキュリティ機器等をセキュリティコントローラーに接続した家の見取り図である。
【図２】本発明の第１の実施形態に係るセキュリティコントローラーの外観図である。
【図３】本発明の第１の実施形態に係る拡張機器の外観図である。
【図４】本発明の第１の実施形態に係る実施形態に係るセキュリティコントローラーのハードウェア構成図である。
【図５】本発明の第１の実施形態に係るセキュリティコントローラーのモジュール構成図である。
【図６】本発明の第１の実施形態に係る表示画面の形態図である。
【図７】本発明の第１の実施形態に係る表示画面の形態図である。
【図８】本発明の第１の実施形態に係る表示画面の形態図である。
【図９】本発明の第１の実施形態に係るセキュリティコントローラーの動作フローチャートである。
【図１０】本発明の第３の実施形態に係るセキュリティコントローラーの外観図である。
【符号の説明】
【００４７】
１０  セキュリティインタフェース、セキュリティ端子
１１  操作パネル
１２  表示画面、LCD
１３  汎用インタフェース、USB
１３a、１３ｂ、１３ｃ、１３ｄ  USB
１４  CPU
１５  ROM
２０  拡張機器
２１  操作パネル
３０  セキュリティ機器
４１  電源LEDランプ
４２  機器状態LEDランプ
４３  電池切れLEDランプ
４４  外出ボタン
４５  在宅ボタン
４６  解除ボタン
４７  モニタボタン
４８  動作ボタン
４９  登録ボタン
５０  音量ボタン
５１  テンキー
６１  管理手段
６２  表示手段
６３  機器用制御手段
【図１】
2006127296.tif 000003
【図２】
2006127296.tif 000004
【図３】
2006127296.tif 000005
【図４】
2006127296.tif 000006
【図５】
2006127296.tif 000007
【図６】
2006127296.tif 000008
【図７】
2006127296.tif 000009
【図８】
2006127296.tif 000010
【図９】
2006127296.tif 000011
【図１０】
2006127296.tif 000012